(57)【要約】【課題】音響処理を簡略化するとともに、車両の運転手などが利用者である場合などでも、画面などを閲覧することなく利用者が歌詞を認識することができるカラオケシステムを提供する。【解決手段】ＭＩＤＩ形式などのテキスト形式により構成した楽曲データおよび歌詞データを含む譜面データを格納する補助記憶部２０と、譜面データを解析するシーケンサー１と、スピーカー５と、歌詞を表示するディスプレー３とを有してカラオケシステムを構成する。シーケンサー１により譜面データを解析して、次に歌う歌詞の前に、この該当する歌詞をスピーカー５から音声合成された音声により読み上げる。車両に搭載する場合には、車両情報収集部１２を設け、車両からの信号を収集して、特にディスプレー３を制御する。【選択図】        図１
2004341338.tif 000002
【特許請求の範囲】
【請求項１】
テキスト形式により構成された、楽曲データおよび歌詞データを含む譜面データを格納する記憶手段と、
上記譜面データを解析可能に構成された解析処理手段と、
上記楽曲データに基づく楽曲を出力可能に構成された出力手段と、
上記歌詞データを表示可能に構成された表示手段とを有し、
上記解析処理手段により上記譜面データを解析することにより、上記歌詞データに基づく歌詞を上記出力手段から音声により出力可能に構成されている
ことを特徴とするカラオケシステム。
【請求項２】
上記楽曲データに含まれる休符データに基づく休符部分と上記楽曲データに含まれる長音符データに基づく長音符部分との少なくとも一方の期間内に、上記歌詞を出力するように構成されている
ことを特徴とする請求項１記載のカラオケシステム。
【請求項３】
音声合成を実行可能に構成された音声合成手段をさらに有し、
上記解析処理手段により解析された上記歌詞データに基づいて、上記出力手段から出力される上記音声を、上記音声合成手段により生成可能に構成されている
ことを特徴とする請求項１または２記載のカラオケシステム。
【請求項４】
外部と通信可能に構成された通信手段をさらに有し、
上記楽曲データおよび上記歌詞データを、外部から通信手段を通じて入力可能に構成されている
ことを特徴とする請求項１，２または３記載のカラオケシステム。
【請求項５】
テキスト形式により構成された、楽曲データおよび歌詞データを含む譜面データを解析可能に構成された解析処理手段によって、上記譜面データを解析することにより、上記歌詞データに基づく歌詞を音声として出力する
ことを特徴とするカラオケ再生方法。
【請求項６】
上記楽曲データに含まれる休符データに基づく休符期間と上記楽曲データに含まれる長音符データに基づく長音符期間との少なくとも一方の期間内に、上記歌詞を部分的に出力するように構成されている
ことを特徴とする請求項５記載のカラオケ再生方法。
【請求項７】
テキスト形式により構成された、楽曲データおよび歌詞データを含む譜面データが格納された記憶手段と、上記楽曲データに基づく楽曲を出力可能に構成された出力手段と、上記譜面データを解析可能に構成された解析処理手段とを有し、上記解析処理手段により上記譜面データを解析することにより、上記歌詞データに基づく歌詞を上記出力手段から音声により出力可能に構成されたカラオケシステムが搭載されている
ことを特徴とする車両。
【請求項８】
上記カラオケシステムが、通信手段をさらに有し、上記楽曲データおよび上記歌詞データを、外部から通信手段を通じて入力可能に構成されている
ことを特徴とする請求項７記載の車両。
【請求項９】
上記カラオケシステムが、上記車両に設けられた部位から出力される情報信号を収集可能に構成された車両情報収集手段をさらに有する
ことを特徴とする請求項７または８記載の車両。
【発明の詳細な説明】
【０００１】
【発明の属する技術分野】
この発明は、カラオケシステム、カラオケ再生方法および車両に関し、特に、車両に搭載されるカラオケシステムや、通常のカラオケ再生装置に適用して好適なものである。
【０００２】
【従来の技術】
従来、カラオケシステムは、図４に示すように、シーケンサー１０１、歌詞表示部１０２、ディスプレー１０３、オーディオ処理部１０４、スピーカー１０５、マイクロフォン（マイク）１０６、および楽器音源ファイル１０７と曲データファイル１０８とが格納された補助記憶部１０９を有して構成されている。
【０００３】
従来技術によるカラオケ装置の動作においては、曲が選択されると、曲データファイル１０８からカラオケとして再生される目的の曲が索出され、シーケンサー１０１にデータが供給される。この曲データファイル１０８には、楽器ごとに音符に相当する音階と長さのデータの列が格納されている。
【０００４】
また、楽曲のベースとなる主メロディーには、歌詞が付与されている。ここでは、主メロディーであることを示すデータも付与されている。
【０００５】
また、シーケンサー１０１により、曲データファイルが読み出され、曲データに付加されている楽器番号に従って、楽器音源ファイル１０７から音源が取り出され、この音源の音程および長さのデータが付加されてオーディオ処理部１０４に供給される。
【０００６】
また、オーディオ処理部１０４により、デジタル信号が音響信号に変換されて、スピーカー１０５に供給される。なお、マイク１０６に入力された利用者の声は、電気信号に変換されてオーディオ処理部１０４に供給される。
【０００７】
そして、歌詞表示部１０２により、主メロディーに付加された歌詞データが数行分ずつ読み出されて、ディスプレー１０３に供給される。これとともに、シーケンサー１０１から、現在演奏中の主メロディーの演奏位置の情報が供給されて、この対応する歌詞データが１小節または１音符ずつ得られる。この対応する歌詞データに関しては、ディスプレー１０３に文字の色が変えられて供給される。これにより現在の曲の歌うべき場所がディスプレー１０３を通じて利用者に示される。
【０００８】
そして、以上の従来技術によるカラオケシステムにおいて歌詞の読み上げを行う場合、カラオケの読み上げは、全部の歌詞を表示し、これを音声合成で読ませる方法が一般的である。ところが、この方法を採用すると、読み上げられた歌詞に従って歌うことは、極めて困難である。また、一方でカラオケの歌詞表示部分を音声合成に読み上げさせると、曲の進行と同時に読み上げられ、歌うこと自体が困難になってしまう。
【０００９】
そこで、歌詞の先読み音声であるリードナレーションを発生させて、歌詞を音声で教えるために、カラオケ歌唱のハモリ音声を生成する音声信号処理部を用いてガイドボーカルデータの再生タイミング、再生速度、再生周波数を変換し、このガイドボーカルデータを、フレーズ間の無歌唱区間に次のフレーズの歌詞を先読みする音声であるリードナレーションとして用いることができるようにしたカラオケ装置が提案されている（特許文献１参照）。
【００１０】
【特許文献１】
特開２００１−２１５９７９号公報
【００１１】
【発明が解決しようとする課題】
しかしながら、特許文献１に記載された技術に関しては、ビデオなどのアナログ方式により録音された音楽データに対する音響処理に関して、時間に基づいて歌詞を読み上げる形式を採用している。そのため、再生速度が速い場合や、途中でテンポが速くなった場合などには、音声による歌詞の読み上げが困難になってしまうという問題があった。
【００１２】
また、特許文献１に記載された発明においては、ビデオなどのアナログ方式により録音された音楽データに対する音響処理に関して、歌詞の読み上げを行っている。そのため、この技術を現在使用されているＭＩＤＩ（Ｍｕｓｉｃａｌ  Ｉｎｓｔｒｕｍｅｎｔ  Ｄｉｇｉｔａｌ  Ｉｎｔｅｒｆａｃｅ）などのテキスト形式をベースとしたデータに対して実行するためには、処理が極めて煩雑になってしまう。その結果、この技術を現在のカラオケ装置における処理に適用するのは、極めて困難であった。
【００１３】
したがって、この発明の目的は、音響処理を簡略化するとともに、画面などを閲覧することなく利用者が歌詞を認識することができる、テキスト形式のデータを利用して再生を行うカラオケシステムおよびカラオケ再生方法を提供することにある。
【００１４】
また、この発明の他の目的は、音響処理を簡略化するとともに、画面などを見ることなく利用者が歌詞を認識することができる、テキスト形式のデータを利用して再生を行うカラオケシステムを搭載した車両を提供することにある。
【００１５】
【課題を解決するための手段】
上記目的を達成するために、この発明は、
テキスト形式により構成された、楽曲データおよび歌詞データを含む譜面データを用いたカラオケシステムにおいて、解析処理手段により譜面データを解析することによって、歌詞データに基づく歌詞を読み上げる
ことを特徴とするものである。
【００１６】
具体的に、この発明の第１の発明は、
テキスト形式により構成された、楽曲データおよび歌詞データを含む譜面データを格納する記憶手段と、
譜面データを解析可能に構成された解析処理手段と、
楽曲データに基づく楽曲を出力可能に構成された出力手段と、
歌詞データを表示可能に構成された表示手段とを有し、
解析処理手段により譜面データを解析することにより、歌詞データに基づく歌詞を出力手段から音声により出力可能に構成されている
ことを特徴とするカラオケシステムである。
【００１７】
この第１の発明において、利用者が、出力手段から自己の音声を出すために、典型的には、音声を入力可能に構成された音声入力手段がさらに設けられている。この音声入力手段としては、典型的には、音声を電気信号に変換するマイクロフォンが用いられるが、そのほかの音声入力手段を採用することも可能である。
【００１８】
この第１の発明において、典型的には、音声合成を実行可能に構成された音声合成手段をさらに有し、解析処理手段により解析された歌詞データに基づいて、出力手段から出力される音声を、音声合成手段により生成可能に構成されている。
【００１９】
この第１の発明において、カラオケシステムを通信カラオケ装置として利用可能にするために、典型的には、カラオケシステムは、通信手段をさらに有し、楽曲データおよび歌詞データを、外部から通信手段を通じて入力可能に構成されている。
【００２０】
この発明の第２の発明は、
テキスト形式により構成された、楽曲データおよび歌詞データを含む譜面データを解析可能に構成された解析処理手段によって、譜面データを解析することにより、歌詞データに基づく歌詞を音声として出力する
ことを特徴とするカラオケ再生方法である。
【００２１】
これらの第１および第２の発明において、典型的には、楽曲データに含まれる休符データに基づく休符期間と楽曲データに含まれる長音符データに基づく長音符期間との少なくとも一方の期間内に、歌詞を出力するように構成されている。そして、この歌詞の出力は、次に演奏される楽曲に付加された歌詞を、その前の時点における休符部分か長音符部分において前もって出力し、演奏前に利用者に歌詞の内容を通知する方法を採用するのが好ましい。
【００２２】
この発明の第３の発明は、
テキスト形式により構成された、楽曲データおよび歌詞データを含む譜面データが格納された記憶手段と、楽曲データに基づく楽曲を出力可能に構成された出力手段と、譜面データを解析可能に構成された解析処理手段とを有し、解析処理手段により譜面データを解析することにより、歌詞データに基づく歌詞を出力手段から音声により出力可能に構成されたカラオケシステムが搭載されている
ことを特徴とする車両である。
【００２３】
この発明の第３の発明において、典型的には、カラオケシステムが、通信手段をさらに有し、楽曲データおよび歌詞データを、外部から通信手段を通じて入力可能に構成されている。
【００２４】
この発明の第３の発明において、車両の状態に応じて、運転に悪影響を及ぼしたり、カラオケシステムの利便性を向上させたりするために、好適には、カラオケシステムは、車両に設けられた部位から出力される情報信号を収集可能に構成された車両情報収集手段をさらに有する。
【００２５】
上述のように構成されたこの発明によるカラオケシステム、カラオケ再生方法および車両によれば、カラオケの再生時に、曲に従って歌詞を先行して読み上げることができ、カラオケシステムより曲情報や歌詞を得て、これらの曲情報や歌詞を音声合成で読み上げることができるので、運転手が利用する場合などでも、利用者が画面を見ることなく、歌詞を認識することができる。
【００２６】
【発明の実施の形態】
以下、この発明の実施形態について図面を参照しながら説明する。なお、以下の実施形態の全図においては、同一または対応する部分には同一の符号を付す。
【００２７】
（カラオケシステム）
まず、この発明の第１の実施形態によるカラオケシステムについて説明する。図１に、この第１の実施形態によるカラオケシステムを示す。
【００２８】
図１に示すように、この第１の実施形態によるカラオケシステムは、シーケンサー１、歌詞表示部２、ディスプレー３、オーディオ処理部４、スピーカー５、マイクロフォン（マイク）６、楽器音源ファイルデータベース７と曲データファイルデータベース８と歌詞読上付曲データファイルデータベース（読上データベース）９とが格納された補助記憶部２０、歌詞読上付加部１０および音声合成部１１を有して構成されている。
【００２９】
シーケンサー１は、楽器音源ファイルデータベース７および歌詞読上付曲データファイル９から供給される、例えばＭＩＤＩデータなどのテキスト形式の譜面データに対して、後述する所定の処理を行った後、この譜面データを歌詞表示部２および音声合成部１１に供給するように構成されている。
【００３０】
また、歌詞表示部２は、シーケンサー１から供給された歌詞データに基づいた表示用のテキスト情報をディスプレー３に供給して、ディスプレー３の映像に重畳して表示させるためのものである。また、ディスプレー３は、歌詞表示部２からのテキスト情報と、映像出力部（図示せず）から供給された映像情報と表示するための表示部である。
【００３１】
また、オーディオ処理部４は、例えばデジタルアナログ変換器（Ｄ／Ａコンバータ）とミキシングを行うミキサーとを有して構成されている。そして、このオーディオ処理部４は、音響信号をデジタル信号に変換してスピーカー５に供給するように構成されている。また、カラオケシステムの利用者が発する音声を受けたマイク６により、音響信号は、オーディオ処理部４に供給可能に構成されている。
【００３２】
また、補助記憶部２０に格納された楽器音源ファイルデータベース７は、楽器音源データが格納されたデータベースである。また、曲データファイルデータベース８は、例えばＭＩＤＩ形式などのテキスト形式のデータからなる楽曲データが格納されている。
【００３３】
そして、歌詞読上付加部１０により、この曲データファイルデータベース８からテキスト形式のデータが読み出され、歌詞情報が付加されて、歌詞読上付曲データファイル９に供給されるように構成されている。
【００３４】
また、音声合成部１１は、シーケンサー１から歌詞データを受信すると、この歌詞データに基づいた音声信号を生成可能に構成されている。そして、この生成された音声信号がオーディオ処理部４に供給され、オーディオ処理部４におけるＤ／Ａコンバータによってアナログ信号に変換されて、音声としてスピーカー５から送出される。
【００３５】
（カラオケシステムの動作）
次に、以上のようにして構成されたこの第１の実施形態によるカラオケシステムの動作について、以下に説明する。
【００３６】
すなわち、まず、利用者により演奏する曲目が選択されると、曲データファイルデータベース８から目的の曲の譜面データが索出され、この譜面データがシーケンサー１に供給される。曲データファイルには、楽器ごとに音符に相当する音階と長さのデータの列が記載されている。主メロディーには歌詞が付与されている。なお、ここでは、主メロディーであることを示すデータも付与されていることとする。
【００３７】
シーケンサー１は、曲データファイルを読み出し、曲データの付加されている楽器番号に従い、楽器音源ファイルデータベース７より音源を取り出し、音程、長さを付加してオーディオ処理部４に供給する。
【００３８】
オーディオ処理部４では、デジタル信号を音響信号に変換してスピーカー５に供給される。また、マイク６は利用者の声を電気信号に変換してオーディオ処理部４に供給するためのものである。歌詞表示部２は、主メロディーに付加された歌詞データの数行分読み出して、そのデータをディスプレー３に供給するためのものである。
【００３９】
（読み上げ処理）
また、このディスプレー３における歌詞表示に先行して、歌詞の読み上げが実行される。ここで、シーケンサー１により楽曲データおよび歌詞データを含む譜面データが解析され、歌詞の読み上げが実行される。この読み上げ方法の例について以下に説明する。
【００４０】
すなわち、この第１の実施形態によるカラオケシステムにおいては、例えばＭＩＤＩ形式に代表されるように、楽曲の情報である楽曲データおよび歌詞データを含む譜面データがテキスト化されて用いられる。
【００４１】
このようなテキスト形式のデータがベースとして採用されたカラオケシステムにおいては、曲を構成する楽器ごとに、楽器をさらに細分して分類された楽器名、音程、および４分音符や休符などの音符に対応した長さが、数字データを含むテキストデータに変換されて構成されている。なお、楽曲を構成する楽器に関しては、同じ楽器でも複数に分類される場合がある。
【００４２】
また、これらの楽器ごとの楽曲データのテキストの列は、楽器ごとの演奏に対応する。歌詞データには、これらの楽器ごとにテキスト列が付加されている。そして、具体的に歌詞データを読み上げる場合には、まず、シーケンサー１により、歌詞が付加されている楽器ごとのテキスト列が検索される。そして、このテキスト列が索出された後に、このテキスト列を用いた歌詞の読み上げの処理が行われる。
【００４３】
この処理の第１の方法として、切り出し前処理が行われて、音声合成部１１に供給される。すなわち、まず、シーケンサー１により、歌詞データに対して、小節ごとの歌詞データが切り出される。その後、先行する小節内に休符があり、また、この小節に続く小節に歌詞データがついた楽曲データがあり、その後に休符がないまま、シーケンサー１により現在処理されている歌詞データの前に結合される。
【００４４】
また、第２の方法として、シーケンサー１により現在処理中の小節に休符がある場合には、その直前の歌詞までを音声合成部１１に供給する。
【００４５】
また、第３の方法として、第１の方法や第２の方法などの切り出し前処理の代わりに、シーケンサー１により歌詞が付加されている楽器ごとのテキスト列が検索された後に、テキスト列に対するバッファ処理を行う方法を採用しても良い。
【００４６】
すなわち、シーケンサー１から音声合成部１１に歌詞データを供給する際にバッファ処理を行う。具体的には、この第１の実施形態によるカラオケシステムにおいて、あらかじめ利用者が設定したポーズ指定があれば、リズムと和音だけをオーディオ処理部４に供給して、歌詞の読み上げを実行する。
【００４７】
また、これらの３つの方法は、必要に応じて、何れかの方法を選択的に実行することが可能である。なお、以上のような方法に限らず、種々の方法を採用して、楽曲データにおける休符部分や長音符部分において、次に歌うことになる歌詞データの読み上げを実行することが可能である。
【００４８】
そして、これらの方法に基づいて、この第１の実施形態によるカラオケシステムにおいて歌詞の読み上げを実行する場合には、まず、曲データファイルデータベース８から歌詞読上付加部１０に、主となる楽曲データ（主メロディー）のトラックとこれに付属した歌詞データとが供給される。
【００４９】
そして、歌詞読上付加部１０においては、供給された主メロディーから小節情報が抽出される。他方、この主メロディーに小節情報が付属されていない場合、歌詞読上付加部１０において、楽曲データからリズム情報を抽出することにより、主メロディーが小節ごとに分割される。
【００５０】
その後、歌詞読上付加部１０により小節ごとに休符部分または長音符部分、もしくはそれらの両方が検索される。そして、休符部分または長音符部分の少なくとも一方の部分が抽出されると、前の休符（または長音符）と後の休符（または長音符）との間における歌詞データの部分を、その前の休符部分（または長音符部分）に当てはめるように挿入する。これにより、歌詞の読み出し部分が付加された読上付歌詞データが生成される。その後、生成された読上付歌詞データは、歌詞読上付曲データファイル９に格納される。
【００５１】
その後、これらの楽曲データおよび歌詞読上付の歌詞データと、楽器音源ファイルにおけるそれぞれの楽器の音データとがシーケンサー１に供給される。
【００５２】
そして、シーケンサー１により、歌詞読上付の歌詞データが音声合成部１１に供給される。音声合成部１１においては、歌詞読上付の歌詞データにおける歌詞の読み上げとして付加された部分についての音声合成が実行される。そして、この音声合成により生成された音声データがオーディオ処理部４に供給され、スピーカー５から出力される。これにより、次に歌うべき部分の歌詞が読み出され、音声として出力される。
【００５３】
他方、シーケンサー１により、現在演奏中の主メロディーの位置情報が供給され、対応する歌詞データにおける１小節または１音符ずつのデータが、ディスプレー３に文字の色などを変えて供給される。これにより現在の曲の歌うべき場所が利用者に示される。また、これとともに、主メロディーを含む楽曲データがオーディオ処理部４に供給されて、楽器による演奏が出力される。
【００５４】
以上説明したように、この第１の実施形態によれば、テキスト形式により構成された楽曲データおよび歌詞データを含む譜面データを、シーケンサー１により解析して、休符部分または長音符部分の期間に、その歌詞データにおける次の部分の歌詞を抽出し、音声合成部１１によって音声合成が行われて、この合成された音声がスピーカー５から出力されることにより、歌詞の読み上げが実行されていることにより、利用者は画面を見ることなく、歌詞を知ることができるようになる。そのため、視力障害者などがカラオケを楽しむことができたり、運転中に運転者が画面を見ることなくカラオケの練習ができたりする。また、カラオケシステムを用いて、大人数で曲を唱和する場合など、画面が遠くカラオケ装置のディスプレーを見ることが困難な状況であっても、歌う楽曲の内容を唱和する利用者に通知することが可能となる。
【００５５】
次に、この発明の第２の実施形態によるカラオケシステムについて説明する。図２に、この第２の実施形態によるカラオケシステムを示す。
【００５６】
図２に示すように、この第２の実施形態においては、第１の実施形態と異なり、車両情報収集部１２が設けられている。この車両情報収集部１２は、カラオケシステムを自動車に搭載した場合に追加される部分であり、シーケンサー１に制御信号を供給可能に構成されている。
【００５７】
すなわち、車両情報収集部１２には、車両（図示せず）において種々の操作が行われた際に出力される信号が供給されると、車両情報収集部１２からシーケンサー１に対して制御信号が供給され、ディスプレー３の画面表示などのカラオケシステムの制御を実行可能に構成されている。
【００５８】
具体的には、通常、車両の走行中においては、ディスプレー３に映像などを表示することなく、音声のみが出力される。そして、車両（図示せず）のサイドブレーキ機構の部位から車両情報収集部１２に、サイドブレーキがかけられた際に出力されるサイドブレーキ信号が供給されると、シーケンサー１に対して、画像表示を制御する制御信号が供給される。この信号が供給されたシーケンサー１は、ディスプレー３に対して画面表示を実行する制御信号を供給する。そして、ディスプレー３に画像が表示される。
【００５９】
また、通常、ディスプレー３における画像出力は、車両の周辺の明暗状態に応じて最適化される。そして、車両の周辺の明暗状態は、車両に搭載されたヘッドライトなど点灯・消灯に基づいて出力される信号により認識可能である。そこで、車両情報収集部１２においては、車両からライトの点灯に伴う点灯情報が供給されると、制御信号が出力され、制御信号は、シーケンサー１を通じてディスプレー３に供給される。これにより、ディスプレー３の表示部が夜間モードに変化される。
【００６０】
そのほかの構成は、第１の実施形態と同様であるので、説明を省略する。そして、この第２の実施形態によれば、第１の実施形態と同様の効果を得ることができるとともに、カラオケシステムを搭載した車両において、カラオケシステムを車両の運行に適した状況で使用することができる。
【００６１】
次に、この発明の第３の実施形態によるカラオケシステムについて、説明する。この第３の実施形態によるカラオケシステムを図３に示す。
【００６２】
図３に示すように、この第３の実施形態によるカラオケシステムにおいては、第１の実施形態と異なり、外部の情報センタ４０と通信可能に構成された通信部３０が設けられている。この通信部３０は、情報センタ４０から送信された楽曲データや歌詞データなどの譜面データを受信して、補助記憶部２０に、この譜面データを格納可能に構成されている。また、必要に応じて、映像データなどのその他のデータも受信可能である。そのほかの構成については、第１の実施形態と同様であるので説明を省略する。
【００６３】
この第３の実施形態によれば、第１の実施形態と同様の効果を得ることができるとともに、携帯電話などの携帯端末における通信部を、このカラオケシステムにおける通信部３０として採用することにより、携帯端末を用いて、画面を見ることなく、カラオケの練習を行うことが可能となる。
【００６４】
以上、この発明の実施形態について具体的に説明したが、この発明は、上述の実施形態に限定されるものではなく、この発明の技術的思想に基づく各種の変形が可能である。
【００６５】
【発明の効果】
以上説明したように、この発明によれば、テキスト形式により構成された楽曲データおよび歌詞データを含む譜面データを、解析処理部によって解析することにより、歌詞データに基づく歌詞を出力手段から音声により出力可能に構成されていることにより、テキスト形式のデータを用いたカラオケシステムにおいて、音響処理を簡略化しつつ、画面などを閲覧することなく利用者に歌詞を通知して、認識させることができる。
【図面の簡単な説明】
【図１】この発明の第１の実施形態によるカラオケシステムを示すブロック図である。
【図２】この発明の第２の実施形態によるカラオケシステムを示すブロック図である。
【図３】この発明の第３の実施形態によるカラオケシステムを示すブロック図である。
【図４】従来技術によるカラオケシステムを示すブロック図である。
【符号の説明】
１，１０１  シーケンサー
２，１０２  歌詞表示部
３，１０３  ディスプレー
４，１０４  オーディオ処理部
５，１０５  スピーカー
６，１０６  マイク
７  楽器音源ファイルデータベース
８  曲データファイルデータベース
９  歌詞読上付曲データファイル
１０  歌詞読上付加部
１１  音声合成部
１２  車両情報収集部
２０，１０９  補助記憶部
３０  通信部
４０  情報センタ
【図１】
2004341338.tif 000003
【図２】
2004341338.tif 000004
【図３】
2004341338.tif 000005
【図４】
2004341338.tif 000006